(57)【要約】【課題】異なる周波数帯使用の複数の通信システムを複合した通信機においてアンテナを共用し、複数の通信システムを独立してアンテナダイバーシチが行なえてかつ信号損失の少ないアンテナ切替え回路を提供する。【解決手段】第一の無線通信システム１Ａの送信部２Ａと受信部３Ａと、同じく第二のシステム１Ｂの送信部２Ｂと受信部３Ｂと、両システムの送受信に使用する第一と第二のアンテナ４Ａ、４Ｂと、アンテナ４Ａ、４Ｂをそれぞれの共通端子に接続される共用器５Ａ、５Ｂと、送信部２Ａと共用器５Ａを、送信部２Ａと共用器５Ｂを、受信部３Ａと共用器５Ａを、受信部３Ａと共用器５Ｂをそれぞれ接続するスイッチ６Ａ、７Ａ、８Ａ、９Ａと、送信部２Ｂと共用器５Ａを、送信部２Ｂと共用器５Ｂを、受信部３Ｂと共用器５Ａを、受信部３Ｂと共用器５Ｂをそれぞれ接続するスイッチ６Ｂ、７Ｂ、８Ｂ、９Ｂとを備えた。【選択図】　図１
2004007162.tif 000002
【特許請求の範囲】
【請求項１】
第一周波数帯を使用する第一の無線システムと、前記第一周波数帯とは異なる第二周波数帯を使用する第二の無線システムと、前記第一の無線システムと第二の無線システムで共用される第一のアンテナおよび第二のアンテナと、前記第一のアンテナに接続する第一の共用器と、前記第二のアンテナに接続する第二の共用器を含む通信機器において、
前記第一の無線システムの送信部と前記第一の共用器との間に接続された第一のスイッチと、前記第一の無線システムの受信部と前記第一の共用器との間に接続された第二のスイッチと、前記第一の無線システムの送信部と前記第二の共用器との間に接続された第三のスイッチと、前記第一の無線システムの受信部と前記第二の共用器との間に接続された第四のスイッチと、前記第二の無線システムの送信部と前記第一の共用器との間に接続された第五のスイッチと、前記第二の無線システムの受信部と前記第一の共用器との間に接続された第六のスイッチと、前記第二の無線システムの送信部と前記第二の共用器との間に接続された第七のスイッチと、前記第二の無線システムの受信部と前記第二の共用器との間に接続された第八のスイッチを備えていることを特徴とするアンテナ切替え回路。
【請求項２】
前記第一の無線システムと前記第二の無線システムで共用される外部出力端子と、前記外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチを備えていることを特徴とする請求項１に記載のアンテナ切替え回路。
【請求項３】
前記第一の無線システムと前記第二の無線システムで共用される第一の外部出力端子及び第二の外部出力端子と、前記第一の外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチと、前記第二の外部出力端子に接続する第四の共用器と、前記第一の無線システムの送信部と前記第四の共用器との間に接続された第十三のスイッチと、前記第一の無線システムの受信部と前記第四の共用器との間に接続された第十四のスイッチと、前記第二の無線システムの送信部と前記第四の共用器との間に接続された第十五のスイッチと、前記第二の無線システムの受信部と前記第四の共用器との間に接続された第十六のスイッチとを備えていることを特徴とする請求項１に記載のアンテナ切替え回路。
【請求項４】
第一周波数帯を使用する第一の無線システムと、前記第一周波数帯とは異なる第二周波数帯を使用する第二の無線システムと、前記第一の無線システムと第二の無線システムで共用される第一のアンテナおよび第二のアンテナと、前記第一のアンテナに接続する第一の共用器と、前記第二のアンテナに接続する第二の共用器と、前記第一の無線システムの送信部と前記第一の共用器との間に接続された第一のスイッチと、前記第一の無線システムの受信部と前記第一の共用器との間に接続された第二のスイッチと、前記第一の無線システムの送信部と前記第二の共用器との間に接続された第三のスイッチと、前記第一の無線システムの受信部と前記第二の共用器との間に接続された第四のスイッチと、前記第二の無線システムの送信部と前記第一の共用器との間に接続された第五のスイッチと、前記第二の無線システムの受信部と前記第一の共用器との間に接続された第六のスイッチと、前記第二の無線システムの送信部と前記第二の共用器との間に接続された第七のスイッチと、前記第二の無線システムの受信部と前記第二の共用器との間に接続された第八のスイッチを備えていることを特徴とする通信機器。
【請求項５】
前記第一の無線システムと前記第二の無線システムで共用される外部出力端子と、前記外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチを備えていることを特徴とする請求項４に記載の通信機器。
【請求項６】
前記第一の無線システムと前記第二の無線システムで共用される第一の外部出力端子及び第二の外部出力端子と、前記第一の外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチと、前記第二の外部出力端子に接続する第四の共用器と、前記第一の無線システムの送信部と前記第四の共用器との間に接続された第十三のスイッチと、前記第一の無線システムの受信部と前記第四の共用器との間に接続された第十四のスイッチと、前記第二の無線システムの送信部と前記第四の共用器との間に接続された第十五のスイッチと、前記第二の無線システムの受信部と前記第四の共用器との間に接続された第十六のスイッチとを備えていることを特徴とする請求項４に記載の通信機器。
【発明の詳細な説明】
【０００１】
【発明の属する技術分野】
本発明は、異なった無線周波数帯を使用する複数の無線通信システムを複合した通信装置に関するもので、特にそのアンテナ切替え回路及びそれを備えた通信機器に関する。
【０００２】
【従来の技術】
近年、無線通信装置において、異なった無線周波数帯を使用する複数の無線通信システムを複合した通信機器の開発が進みつつある。
異なった無線周波数帯を使用する複数の無線通信システムを複合した通信機器に関する従来技術として、例えば特開２００２−９６７９号公報等に記載されている発明が知られている。
図４および図５は、従来技術によるＰＤＣとＰＨＳを複合した通信機器に用いるアンテナ共用装置の構成を示すブロック図である。
【０００３】
図４の第一の従来例では、共用器２７Ａの一方の端子にＰＤＣ送信部２１が他方の端子にＰＨＳ送信部２３が接続され、また、アンテナ切替スイッチ２６Ａの一方の切替端子にアンテナ２５Ａが他方の切替端子にアンテナ２５Ｂが接続され、そしてこのアンテナ切替スイッチ２６Ａの共通端子と前記共用器２７Ａの共通端子とが接続され、アンテナ切替スイッチ２６Ａによりアンテナ２５Ａとアンテナ２５Ｂのいずれか一方が共用器２７Ａの共通端子に接続される状態となる。
一方、共用器２７Ｂにはその一方の端子にＰＤＣ受信部２２が他方の端子にＰＨＳ受信部２４が接続され、また、アンテナ切替スイッチ２６Ｂには一方の切替端子にアンテナ２５Ａが他方の切替端子にはアンテナ２５Ｂが接続され、そしてアンテナ切替スイッチ２６Ｂの共通端子と前記共用器２７Ｂの共通端子とが接続され、アンテナ切替スイッチ２６Ｂによりアンテナ２５Ａとアンテナ２５Ｂのいずれか一方が共用器２７Ｂの共通端子に接続される状態となる。
ＰＤＣでは８１０〜９６０ＭＨｚの周波数帯を使用し、ＰＨＳでは１８９３〜１９１９ＭＨｚの周波数帯を使用する。アンテナを共用してＰＤＣとＰＨＳによる送受信を可能とするため、共用器２７Ａ、２７Ｂを用いている。共用器２７ＡはＰＤＣ送信部２１から入力されたＰＤＣ送信信号とＰＨＳ送信部２３から入力されたＰＨＳ送信信号をアンテナ切替スイッチ２６Ａへ出力する。共用器２７Ｂはアンテナ切替スイッチ２６Ｂから入力される信号をＰＤＣ受信信号とＰＨＳ受信信号に分波し、ＰＤＣ受信信号をＰＤＣ受信部２２へとＰＨＳ受信信号をＰＨＳ受信部２４へと振り分ける。アンテナ切替スイッチ２６Ａは、ＰＤＣ及びＰＨＳの送信に使用するアンテナとしてアンテナ２５Ａ、２５Ｂの一方を選択し、アンテナ切替スイッチ２６Ｂは、ＰＤＣ及びＰＨＳの受信に使用するアンテナとして、アンテナ２５Ａ、２５Ｂの一方を選択する。
このように第一の従来例では、アンテナを共用してＰＤＣ及びＰＨＳの送受信ができ、複数のアンテナを用いてＰＤＣまたはＰＨＳの各モードにおいて送受信ダイバーシチができる。
【０００４】
図５の第二の従来例では、共用器２７Ａの共通端子にアンテナ２５Ａが接続され、またその一方の端子にアンテナ切替スイッチ２６Ａの一方の切替端子が、その他方の端子にアンテナ切替スイッチ２６Ｂの一方の切替端子が接続されている。同じく、共用器２７Ｂの共通端子にアンテナ２５Ｂが接続され、またその一方の端子に前記アンテナ切替スイッチ２６Ａの他端の切替端子が、その他方の端子にアンテナ切替スイッチ２６Ｂの他端の切替端子が接続されている。
さらに、送受信切替スイッチ２８Ａはその共通端子が前記アンテナ切替スイッチ２６Ａの共通端子に接続され、送受信切替スイッチ２８Ａの一方の切替端子にＰＤＣ送信部２１が、その他端の切替端子にＰＤＣ受信部２２が接続されている。
また、送受信切替スイッチ２８Ｂはその共通端子がアンテナ切替スイッチ２６Ｂの共通端子と接続され、送受信切替スイッチ２８Ｂの一方の切替端子にＰＨＳ送信部２３が、その他端の切替端子にＰＨＳ受信部２４が接続されている。
送受信切替スイッチ２８Ａは、ＰＤＣ送受信の切り替えを行ない。送受信切替スイッチ２８Ｂは、ＰＨＳ送受信の切り替えを行なう。
アンテナ切替スイッチ２６Ａは、ＰＤＣの送受信するアンテナとしてアンテナ２５Ａとアンテナ２５Ｂとから選択し、アンテナ切替スイッチ２６ＢはＰＨＳの送受信に使用するアンテナとしてアンテナ２５Ａとアンテナ２５Ｂとから選択する。
共用器２７Ａは、アンテナ２５Ａの受信信号をＰＤＣ受信信号とＰＨＳ受信信号に分波し、ＰＤＣ受信信号をアンテナ切替スイッチ２６Ａへ、ＰＨＳ受信信号をアンテナ切替スイッチ２６Ｂへと振り分ける。
共用器７Ｂは、アンテナ２５Ｂの受信信号をＰＤＣ受信信号とＰＨＳ受信信号に分波し、ＰＤＣ受信信号をアンテナ切替スイッチ２６Ａへ、ＰＨＳ受信信号をアンテナ切替スイッチ２６Ｂへと振り分ける。
このように第二の従来例では、アンテナを共用してＰＤＣ及びＰＨＳの送受信ができ、複数のアンテナを用いてＰＤＣ及びＰＨＳの各モードにおいて同時に送受信ダイバーシチをすることができる。
【０００５】
また、異なった無線周波数帯を使用する複数の無線通信システムを複合した通信機器に関する第三の従来技術として、例えば特開２００１−２８５１１４号公報等に記載されている発明が知られている。
図６は、従来技術によるＣＤＭＡセルラーと無線ＬＡＮを複合した通信機器を示すブロック図である。
ここでは、デュアルバンドアンテナ３１Ａ、３１Ｂを２本使用し、アンテナ３１Ａ、３１ＢをＣＤＭＡセルラー用の送信部３５と受信部３９用に分離する。
無線ＬＡＮ部３７では、ダイバーシチを行なっているため両アンテナ３１Ａ、３１Ｂがアンテナ共用器３３Ａ、３３Ｂを経由して接続されている。
このような第三の従来例では、セルラーに対してはスイッチがないためアンテナ共用による送受信信号の損失を小さくすることができ、もう一方の無線通信システムについてアンテナダイバーシチをすることができる。
【０００６】
【発明が解決しようとする課題】
しかしながら、第一の従来例の構成では、同一のアンテナで同時に複数の無線通信システムで送受信に使用できなかった。例えば、第一の無線通信システムがダイバーシチでアンテナを使用すれば、第二の無線通信システムでは第一の無線通信システムが選択したアンテナしか使用できないため、第二の無線通信システムはダイバーシチを行なうことができないからである。
【０００７】
一方、第二の従来例の構成では、複数の無線通信システムをそれぞれ独立してアンテナダイバーシチを行なうことができるが、送受信切替スイッチとアンテナ切替スイッチの２つのスイッチを信号が通るため、送受信信号の損失が増大し、送信時には送信出力を大きくしなければならず、結果として消費電力が増加し、受信時には受信感度の劣化を生じるという課題があった。
【０００８】
また、第三の従来例の構成では、複数の無線通信システムに対して一方の無線通信システムについてアンテナダイバーシチを行なうことができるが、もう一方の無線通信システムについてはアンテナダイバーシチを行なうことができないという課題があった。
【０００９】
本発明は、このような従来の問題点を解決するためのものであり、異なった無線周波数帯を使用する複数の無線通信システムをそれぞれ独立してアンテナダイバーシチを行なうことができるとともに、送受信信号の損失が少ないアンテナ切替え回路及びそれを備えた通信機器を提供することを目的としている。
【００１０】
【課題を解決するための手段】
上記問題点を解決するために、本発明のアンテナ切替え回路および通信機器では、第一周波数帯を使用する第一の無線システムと、前記第一周波数帯とは異なる第二周波数帯を使用する第二の無線システムと、前記第一の無線システムと第二の無線システムで共用される第一のアンテナおよび第二のアンテナと、前記第一のアンテナに接続する第一の共用器と、前記第二のアンテナに接続する第二の共用器を含む通信機器において、前記第一の無線システムの送信部と前記第一の共用器との間に接続された第一のスイッチと、前記第一の無線システムの受信部と前記第一の共用器との間に接続された第二のスイッチと、前記第一の無線システムの送信部と前記第二の共用器との間に接続された第三のスイッチと、前記第一の無線システムの受信部と前記第二の共用器との間に接続された第四のスイッチと、前記第二の無線システムの送信部と前記第一の共用器との間に接続された第五のスイッチと、前記第二の無線システムの受信部と前記第一の共用器との間に接続された第六のスイッチと、前記第二の無線システムの送信部と前記第二の共用器との間に接続された第七のスイッチと、前記第二の無線システムの受信部と前記第二の共用器との間に接続された第八のスイッチを備えていることを特徴としている。
【００１１】
また、前記第一の無線システムと前記第二の無線システムで共用される外部出力端子と、前記外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチを備えていることを特徴としている。
【００１２】
また、前記第一の無線システムと前記第二の無線システムで共用される第一の外部出力端子及び第二の外部出力端子と、前記第一の外部出力端子に接続する第三の共用器と、前記第一の無線システムの送信部と前記第三の共用器との間に接続された第九のスイッチと、前記第一の無線システムの受信部と前記第三の共用器との間に接続された第十のスイッチと、前記第二の無線システムの送信部と前記第三の共用器との間に接続された第十一のスイッチと、前記第二の無線システムの受信部と前記第三の共用器との間に接続された第十二のスイッチと、前記第二の外部出力端子に接続する第四の共用器と、前記第一の無線システムの送信部と前記第四の共用器との間に接続された第十三のスイッチと、前記第一の無線システムの受信部と前記第四の共用器との間に接続された第十四のスイッチと、前記第二の無線システムの送信部と前記第四の共用器との間に接続された第十五のスイッチと、前記第二の無線システムの受信部と前記第四の共用器との間に接続された第十六のスイッチとを備えていることを特徴としている。
【００１３】
【発明の実施の形態】
本発明は上記した構成によって、異なった無線周波数帯を使用する複数の無線通信システムを、それぞれ独立してアンテナダイバーシチを行なうことができるとともに、送受信信号の損失が少ない通信機器を提供することが可能になる。
以下本発明の実施の形態について、図面を参照しながら説明する。
【００１４】
（実施の形態１）
図１は本発明の実施の形態１におけるアンテナ切替回路の回路構成図である。本発明の実施の形態１におけるアンテナ切替回路によれば、第一のアンテナ４Ａと第二のアンテナ４Ｂの一方を、第一の無線通信システム１Ａと第二の無線通システム１Ｂの一方の送信部または受信部に一個のスイッチを介して接続するとともに、第一のアンテナ４Ａと第二のアンテナ４Ｂの他方を、第一の無線通信システム１Ａと第二の無線通システム１Ｂの他方の受信部または送信部に一個のスイッチを介して接続することを可能にするものである。
【００１５】
図１において、第一の無線通信システム１Ａの送信部２Ａと受信部３Ａと、第二の無線通信システム１Ｂの送信部２Ｂと受信部２Ｂと、第一の無線通信システムおよび第二の無線通信システムの両方の送受信に使用する第一のアンテナ４Ａと第二のアンテナ４Ｂと、アンテナ４Ａを共通端子に接続される共用器５Ａとアンテナ４Ｂを共通端子に接続される共用器５Ｂと、送信部２Ａと共用器５Ａを接続するスイッチ６Ａと、送信部２Ａと共用器５Ｂを接続するスイッチ７Ａと、受信部３Ａと共用器５Ａを接続するスイッチ８Ａと、受信部３Ａと共用器５Ｂを接続するスイッチ９Ａと、送信部２Ｂと共用器５Ａを接続するスイッチ６Ｂと、送信部２Ｂと共用器５Ｂを接続するスイッチ７Ｂと、受信部３Ｂと共用器５Ａを接続するスイッチ８Ｂと、受信部３Ｂと共用器５Ｂを接続するスイッチ９Ｂとを備えている。
【００１６】
次に、本実施の形態１における動作について説明する。
第一の無線通信システム１Ａの送信時に第一のアンテナ４Ａを使用する場合は、スイッチ６Ａをオンにし、スイッチ７Ａ及びスイッチ８Ａをそれぞれオフにする。
また、第二のアンテナ４Ｂを使用する場合は、スイッチ７Ａをオンにし、スイッチ６Ａ及びスイッチ９Ａをそれぞれオフにする。
第一の無線通信システム１Ａの受信時に第一のアンテナ４Ａを使用する場合は、スイッチ８Ａをオンにし、スイッチ６Ａ及びスイッチ９Ａをそれぞれオフにする。
また、第二のアンテナ４Ｂを使用する場合は、スイッチ９Ａをオンにし、スイッチ７Ａ及びスイッチ８Ａをそれぞれオフにする。
第二の無線通信システム１Ｂの送信時に第一のアンテナ４Ａを使用する場合は、スイッチ６Ｂをオンにし、スイッチ７Ｂ及びスイッチ８Ｂをそれぞれオフにする。
また、第二のアンテナ４Ｂを使用する場合は、スイッチ７Ｂをオンにし、スイッチ６Ｂ及びスイッチ９Ｂをそれぞれオフにする。
第二の無線通信システム１Ｂの受信時に第一のアンテナ４Ａを使用する場合は、スイッチ８Ｂをオンにし、スイッチ６Ｂ及びスイッチ９Ｂをそれぞれオフにする。
また、第二のアンテナ４Ｂを使用する場合は、スイッチ９Ｂをオンにし、スイッチ７Ｂ及びスイッチ８Ｂをそれぞれオフにする。
【００１７】
共用器５Ａは、スイッチ６Ａを介した第一の無線システム１Ａの送信信号及びスイッチ６Ｂを介した第二の無線システム１Ｂの送信信号を第一のアンテナ４Ａに接続する。また、アンテナ４Ａの受信信号を第一の無線通信システムの受信信号と第二の無線通信システムの受信信号に分波し、第一の無線通信システムの受信信号をスイッチ８Ａへ、第二の無線通信システムの受信信号をスイッチ８Ｂへと振り分ける。
共用器５Ｂは、スイッチ７Ａを介した第一の無線システム１Ａの送信信号及びスイッチ７Ｂを介した第二の無線システム１Ｂの送信信号を第一のアンテナ４Ｂに接続する。また、アンテナ４Ｂの受信信号を第一の無線通信システムの受信信号と第二の無線通信システムの受信信号に分波し、第一の無線通信システムの受信信号をスイッチ９Ａへ、第二の無線通信システムの受信信号をスイッチ９Ｂへと振り分ける。
【００１８】
各モードでの送受信信号の通過するスイッチについて見ると、第一の無線通信システム１Ａで送信時に第一のアンテナ４Ａを使用する場合、送信信号はスイッチ６Ａのみ通り、第二のアンテナ４Ｂを使用する場合は、スイッチ７Ａのみ通る。
また、第一の無線通信システム１Ａで受信時に第一のアンテナ４Ａを使用する場合、受信信号はスイッチ８Ａのみ通り、第二のアンテナ４Ｂを使用する場合はスイッチ９Ａのみ通る。
また、第二の無線通信システム１Ｂで送信時に第一のアンテナ４Ａを使用する場合、送信信号はスイッチ６Ｂのみ通り、第二のアンテナ４Ｂを使用する場合は、スイッチ７Ｂのみ通る。
また、第二の無線通信システム１Ｂで受信時に第一のアンテナ４Ａを使用する場合、受信信号はスイッチ８Ｂのみ通り、第二のアンテナ４Ｂを使用する場合は、スイッチ９Ｂのみ通る。
いずれの場合もスイッチを１個介するだけであるので、送受信信号の損失を小さくすることができる。
【００１９】
このようなアンテナ切替え回路の構成により、異なった無線周波数帯を使用する複数の無線通信システムを、それぞれ独立してアンテナダイバーシチを行なうことができるとともに、送受信信号の損失が少ない通信機器を提供することが可能になる。
【００２０】
（実施の形態２）
図２は本発明の実施の形態２におけるアンテナ切替回路の回路構成図である。
実施の形態２は、実施の形態１に対して、一つの外部出力端子を接続可能としたものであり、同一部分には同一符号を付して説明を省略する。
図２において、実施の形態２は実施の形態１に対してさらに、第一の無線通信システム１Ａおよび第二の無線通信システム１Ｂの両方で使用する外部出力端子１２と、外部出力端子１２を共通端子に接続される共用器５Ｃと、第一の無線通信システムの送信部２Ａと共用器５Ｃを接続するスイッチ１０Ａと、第一の無線通信システムの受信部３Ａと共用器５Ｃを接続するスイッチ１１Ａと、第二の無線通信システムの送信部２Ｂと共用器５Ｃを接続するスイッチ１０Ｂと、第二の無線通信システムの受信部３Ｂと共用器５Ｃを接続するスイッチ１１Ｂとを備えている。
【００２１】
次に、本実施の形態２において実施の形態１に対して追加される動作について説明する。
第一の無線通信システム１Ａの送信時に第一のアンテナ４Ａまたは第二のアンテナ４Ｂを使用する場合は、スイッチ１０Ａはオフにする。
第一の無線通信システム１Ａの送信時に外部接続端子１２を使用する場合は、スイッチ１０Ａをオンにし、スイッチ６Ａ及びスイッチ７Ａをそれぞれオフとする。
第一の無線通信システム１Ａの受信時に第一のアンテナ４Ａまたは第二のアンテナ４Ｂを使用する場合は、スイッチ１１Ａをオフにする。
第一の無線通信システム１Ａの受信時に外部接続端子１２を使用する場合は、スイッチ１１Ａをオンにし、スイッチ８Ａ及びスイッチ９Ａをそれぞれオフとする。
【００２２】
第二の無線通信システム１Ｂの送信時に第一のアンテナ４Ａまたは第二のアンテナ４Ｂを使用する場合は、スイッチ１０Ｂはオフにする。
第二の無線通信システム１Ｂの送信時に外部接続端子１２を使用する場合は、スイッチ１０Ｂをオンにし、スイッチ６Ｂ及びスイッチ７Ｂをそれぞれオフとする。
第二の無線通信システム１Ｂの受信時に第一のアンテナ４Ａまたは第二のアンテナ４Ｂを使用する場合は、スイッチ１１Ｂをオフにする。
第二の無線通信システム１Ｂの受信時に外部接続端子１２を使用する場合は、スイッチ１１Ｂをオンにし、スイッチ８Ｂ及びスイッチ９Ｂをそれぞれオフとする。
【００２３】
共用器５Ｃは、スイッチ１０Ａを介した第一の無線システム１Ａの送信信号及びスイッチ１０Ｂを介した第二の無線システム１Ｂの送信信号を外部出力端子１２に接続する。また、外部出力端子１２の受信信号を第一の無線通信システムの受信信号と第二の無線通信システムの受信信号に分波し、第一の無線通信システムの受信信号をスイッチ１１Ａへ、第二の無線通信システムの受信信号をスイッチ１１Ｂへと振り分ける。
外部出力端子１２を使用する場合での送受信信号の通過するスイッチについて見ると、第一の無線通信システム１Ａで送信時の場合、送信信号はスイッチ１０Ａのみ通り、受信時の場合、受信信号はスイッチ１１Ａのみ通る。
また、第二の無線通信システム１Ｂで送信時の場合、送信信号はスイッチ１０Ｂのみ通り、受信時の場合、受信信号はスイッチ１１Ｂのみ通る。
いずれの場合もスイッチを１個介するだけであるので送受信信号の損失を小さくすることができる。
【００２４】
このようなアンテナ切替え回路の構成で外部接続端子を設けることにより、通信機器の無線特性を確認することができ、製造や修理の場合の無線特性測定が容易となる。
また、アンテナと、外部接続端子に取り付けた別アンテナによって、アンテナダイバーシチを行なうことが可能になり、外部接続端子に対しても送受信信号の通過ロスを少なくすることができる。
【００２５】
（実施の形態３）
図３は本発明の実施の形態３におけるアンテナ切替回路の回路構成図である。
実施の形態３は、実施の形態１に対して、二つの外部出力端子を接続可能としたものであり、同一部分には同一符号を付して説明を省略する。
図３において、実施の形態３は実施の形態１に対してさらに、第一の無線通信システム１Ａおよび第二の無線通信システム１Ｂの両方で使用する外部出力端子１２及び外部出力端子１５と、外部出力端子１２を共通端子に接続される共用器５Ｃと、外部出力端子１５を共通端子に接続される共用器５Ｄと、第一の無線通信システムの送信部２Ａと共用器５Ｃを接続するスイッチ１０Ａと、第一の無線通信システムの受信部３Ａと共用器５Ｃを接続するスイッチ１１Ａと、第二の無線通信システムの送信部２Ｂと共用器５Ｃを接続するスイッチ１０Ｂと、第二の無線通信システムの受信部３Ｂと共用器５Ｃを接続するスイッチ１１Ｂと、第一の無線通信システムの送信部２Ａと共用器５Ｄを接続するスイッチ１３Ａと、第一の無線通信システムの受信部３Ａと共用器５Ｄを接続するスイッチ１４Ａと、第二の無線通信システムの送信部２Ｂと共用器５Ｄを接続するスイッチ１３Ｂと、第二の無線通信システムの受信部３Ｂと共用器５Ｄを接続するスイッチ１４Ｂとを備えている。
【００２６】
次に、本実施の形態３において、実施の形態１に対して追加される動作について説明する。
第一の無線通信システム１Ａの送信時に第一のアンテナ４Ａまたは第二のアンテナ４Ｂを使用する場合は、スイッチ１０Ａ及びスイッチ１３Ａはオフにする。
第一の無線通信システム１Ａの送信時に外部接続端子１２を使用する場合は、スイッチ１０Ａをオンにし、スイッチ１３Ａとスイッチ６Ａ及びスイッチ７Ａをそれぞれオフとする。
第一の無線通信システム１Ａの送信時に外部接続端子１５を使用する場合は、スイッチ１３Ａをオンにし、スイッチ１０Ａとスイッチ６Ａ及びスイッチ７Ａをそれぞれオフとする。
第一の無線通信システム１Ａの受信時に第一のアンテナ４Ａまたは第二のアンテナ４Ｂを使用する場合は、スイッチ１１Ａ及びスイッチ１４Ａはオフにする。
第一の無線通信システム１Ａの受信時に外部接続端子１２を使用する場合は、スイッチ１１Ａをオンにし、スイッチ１４Ａとスイッチ８Ａおよびスイッチ９Ａをそれぞれオフとする。
第一の無線通信システム１Ａの受信時に外部接続端子１５を使用する場合は、スイッチ１４Ａをオンにし、スイッチ１１Ａとスイッチ８Ａおよびスイッチ９Ａをそれぞれオフとする。
【００２７】
第二の無線通信システム１Ｂの送信時に第一のアンテナ４Ａまたは第二のアンテナ４Ｂを使用する場合は、スイッチ１０Ｂ及びスイッチ１３Ｂはオフにする。
第二の無線通信システム１Ｂの送信時に外部接続端子１２を使用する場合は、スイッチ１０Ｂをオンにし、スイッチ１３Ｂとスイッチ６Ｂ及びスイッチ７Ｂをそれぞれオフとする。
第二の無線通信システム１Ｂの送信時に外部接続端子１５を使用する場合は、スイッチ１３Ｂをオンにし、スイッチ１０Ｂとスイッチ６Ｂ及びスイッチ７Ｂをそれぞれオフとする。
第二の無線通信システム１Ｂの受信時に第一のアンテナ４Ａまたは第二のアンテナ４Ｂを使用する場合は、スイッチ１１Ｂ及びスイッチ１４Ｂはオフにする。
第二の無線通信システム１Ｂの受信時に外部接続端子１２を使用する場合は、スイッチ１１Ｂをオンにし、スイッチ１４Ｂとスイッチ８Ｂおよびスイッチ９Ｂをそれぞれオフとする。
第二の無線通信システム１Ｂの受信時に外部接続端子１５を使用する場合は、スイッチ１４Ｂをオンにし、スイッチ１１Ｂとスイッチ８Ｂおよびスイッチ９Ｂをそれぞれオフとする。
【００２８】
共用器５Ｃは、スイッチ１０Ａを介した第一の無線システム１Ａの送信信号及びスイッチ１０Ｂを介した第二の無線システム１Ｂの送信信号を外部出力端子１２に接続する。また、外部出力端子１２の受信信号を第一の無線通信システムの受信信号と第二の無線通信システムの受信信号に分波し、第一の無線通信システムの受信信号をスイッチ１１Ａへ、第二の無線通信システムの受信信号をスイッチ１１Ｂへと振り分ける。共用器５Ｄは、スイッチ１３Ａを介した第一の無線システム１Ａの送信信号及びスイッチ１３Ｂを介した第二の無線システム１Ｂの送信信号を外部出力端子１５に接続する。また、外部出力端子１５の受信信号を第一の無線通信システムの受信信号と第二の無線通信システムの受信信号に分波し、第一の無線通信システムの受信信号をスイッチ１４Ａへ、第二の無線通信システムの受信信号をスイッチ１４Ｂへと振り分ける。
外部出力端子１２を使用する場合での送受信信号の通過するスイッチについて見ると、第一の無線通信システム１Ａで送信時の場合、送信信号はスイッチ１０Ａのみ通り、受信時の場合、受信信号はスイッチ１１Ａのみ通る。また第二の無線通信システム１Ｂで送信時の場合、送信信号はスイッチ１０Ｂのみ通り、受信時の場合、受信信号はスイッチ１１Ｂのみ通る。
外部出力端子１５を使用する場合での送受信信号の通過するスイッチについて見ると、第一の無線通信システム１Ａで送信時の場合、送信信号はスイッチ１３Ａのみ通り、受信時の場合、受信信号はスイッチ１４Ａのみ通る。また第二の無線通信システム１Ｂで送信時の場合、送信信号はスイッチ１３Ｂのみ通り、受信時の場合、受信信号はスイッチ１４Ｂのみ通る。
いずれの場合も、スイッチを１個介するだけであるので、送受信信号の損失を小さくすることができる。
【００２９】
このようなアンテナ切替え回路の構成で外部接続端子により、通信機器の無線特性を確認することができ、製造や修理の場合の無線特性測定が容易となる。
また、ふたつの外部接続端子にそれぞれ別アンテナを接続することによって、アンテナダイバーシチを行なうことが可能であり、外部接続端子に対しても送受信信号の通過ロスを少なくすることができる。
【００３０】
【発明の効果】
以上のように、本発明は、このアンテナ切替え回路の構成により、異なった無線周波数帯を使用する複数の無線通信システムを、それぞれ独立してアンテナダイバーシチを行なうことができるとともに、送受信信号の損失少ない通信機器を提供することが可能になる。
また、アンテナ切替え回路の構成で外部接続端子により、通信機器の無線特性を確認することができ、製造や修理の場合の無線特性測定が容易となる。また、ふたつの外部接続端子にそれぞれ別アンテナを接続することによって、アンテナダイバーシチを行なうことが可能であり、外部接続端子に対しても送受信信号の通過ロスを少なくすることができる。
【図面の簡単な説明】
【図１】本発明の実施の形態１におけるアンテナ切替回路の回路構成図である。
【図２】本発明の実施の形態２におけるアンテナ切替回路の回路構成図である。
【図３】本発明の実施の形態３におけるアンテナ切替回路の回路構成図である。
【図４】第一の従来例のアンテナ切替回路の回路構成図である。
【図５】第二の従来例のアンテナ切替回路の回路構成図である。
【図６】第三の従来例の通信機器のブロック図である。
【符号の説明】
１Ａ、１Ｂ　無線通信システム
２Ａ、２Ｂ　送信部
３Ａ、３Ｂ　受信部
４Ａ、４Ｂ　アンテナ
５Ａ、５Ｂ、５Ｃ、５Ｄ　共用器
６Ａ、６Ｂ　スイッチ
７Ａ、７Ｂ　スイッチ
８Ａ、８Ｂ　スイッチ
９Ａ、９Ｂ　スイッチ
１０Ａ、１０Ｂ　スイッチ
１１Ａ、１１Ｂ　スイッチ
１２　外部入力端子
１３Ａ、１３Ｂ　スイッチ
１４Ａ、１４Ｂ　スイッチ
１５　外部入力端子
【図１】
2004007162.tif 000003
【図２】
2004007162.tif 000004
【図３】
2004007162.tif 000005
【図４】
2004007162.tif 000006
【図５】
2004007162.tif 000007
【図６】
2004007162.tif 000008